(57)【要約】【課題】複数の外部記憶装置に同一ユーザのファイルが記憶されている場合の使い勝手を向上させる。【解決手段】第１、２接続端子１４、１５に装着された外部記憶装置３０に記憶されているファイルのファイル名を表示部１３に表示させ、表示されたファイル名の中からユーザにより指示されたファイルのダイレクト印刷が開始される。ダイレクト印刷が開始されると、ファイル表示が禁止される。これにより、複数の外部記憶装置３０に同一ユーザのファイルが記憶されている場合の使い勝手を向上させることができる。【選択図】図２
2010018036.tif 000002
【特許請求の範囲】
【請求項１】
外部記憶装置が装着される装着部と、
前記装着部に装着された外部記憶装置に記憶されているファイルを印刷する印刷手段と、
前記装着部に装着された外部記憶装置に記憶されているファイルのファイル名を表示させる表示手段と、
前記印刷手段により印刷が開始された後に、前記表示手段によるファイル名の表示を禁止させる禁止手段と
を備えることを特徴とする表示装置。
【請求項２】
前記印刷手段による印刷終了後に、前記印刷開始後に新たに前記装着部に装着された外部記憶装置に記憶されているファイルのファイル名の表示を許可する許可手段を備えることを特徴とする請求項１に記載の表示装置。
【請求項３】
前記装着部が複数設けられていることを特徴とする請求項１又は２に記載の表示装置。
【請求項４】
外部記憶装置が装着される装着部、情報を表示する表示部、及び印刷を実行する印刷部を備える表示装置に組み込まれるコンピュータに用いられるプログラムであって、
前記コンピュータを、
前記装着部に装着された外部記憶装置に記憶されているファイルのファイル名を前記表示部に表示させる表示手段、及び
前記印刷部により印刷が開始された後に、前記表示手段によるファイル名の表示を禁止させる禁止手段
として機能させることを特徴とするプログラム。
【発明の詳細な説明】
【技術分野】
【０００１】
本発明は、表示装置及びプログラムに関するものである。
【背景技術】
【０００２】
例えば、特許文献１に記載の発明では、機器本体に装着されている全ての外部記憶装置内のファイル名を表示する表示装置が記載されている。
しかし、機器本体に装着されている全ての外部記憶装置内のファイル名を表示すると、外部記憶装置に記憶されているファイルの内容が第三者に知られてしまうおそれが高く、ファイルの安全性を保持することが難しい。
【０００３】
そこで、特許文献１に記載の発明では、現在機器本体を使用しようとしているユーザが外部記憶装置を機器本体に装着する際に、前回機器本体を使用していたユーザの外部記憶装置が既に装着されているような状況において、前のユーザの外部記憶装置内のファイル名が表示されてしまうことを防止するために、前のユーザの外部記憶装置を取り出すよう警告し、外部記憶装置が１つも装着されていない状態でのみ現在のユーザの外部記憶装置を装着できるようにしている。
【先行技術文献】
【特許文献】
【０００４】
【特許文献１】特開２００５−３２７０７０号公報
【発明の概要】
【発明が解決しようとする課題】
【０００５】
しかし、特許文献１に記載の発明は、外部記憶装置毎にユーザが異なることを前提とした発明であるので、例えば、同一のユーザに使用される複数の外部記憶装置に分散して記憶されているファイルのファイル名を一度に表示させることができない。
【０００６】
すなわち、特許文献１に記載の発明は、新たに装着される外部記憶装置のユーザは、既に外部記憶装置のユーザとは異なるユーザであるとみなして、既に外部記憶装置が装着されている場合に警告を行う発明である。
【０００７】
このため、複数の外部記憶装置のユーザが同一である場合には、それら複数の外部記憶装置に記憶されている全てのファイルのファイル名を表示させることができないので、使い勝手のよい表示装置とは言い難い。
【０００８】
本発明は、上記点に鑑み、複数の外部記憶装置のユーザが同一である場合の使い勝手を向上させることを目的とする。
【課題を解決するための手段】
【０００９】
本発明は、上記目的を達成するために、請求項１に記載の発明では、外部記憶装置が装着される装着部と、装着部に装着された外部記憶装置に記憶されているファイルを印刷する印刷手段と、装着部に装着された外部記憶装置に記憶されているファイルのファイル名を表示させる表示手段と、印刷手段により印刷が開始された後に、表示手段によるファイル名の表示を禁止させる禁止手段とを備えることを特徴とする。
【００１０】
これにより、請求項１に記載の発明では、印刷手段による印刷開始前は、装着されている外部記憶装置を同一のユーザのものであるとみなして、表示手段によりファイル名を表
示させる一方で、印刷手段による印刷開始後は、表示手段によるファイル名の表示を禁止するので、例えば印刷中にユーザが表示装置の前を離れても第３者にファイルを見られることがなく、複数の外部記憶装置のユーザが同一である場合の使い勝手を向上させることができる。
【００１１】
請求項２に記載の発明では、印刷手段による印刷終了後に、印刷開始後に新たに装着部に装着された外部記憶装置に記憶されているファイルのファイル名の表示を許可する許可手段を備えることを特徴とする。
【００１２】
これにより、請求項２に記載の発明では、印刷終了後、印刷手段により印刷が開始された後に装着された外部記憶装置に記憶されているファイルのファイル名を表示させることができる。
【００１３】
なお、印刷が終了したときには、印刷が開始されるときに表示されていたファイル名の表示は終了している。
【００１４】
請求項３に記載の発明では、装着部が複数設けられていることを特徴とするものである。
【００１５】
請求項４に記載の発明では、外部記憶装置が装着される装着部、情報を表示する表示部、及び印刷を実行する印刷部を備える表示装置に組み込まれるコンピュータに用いられるプログラムであって、コンピュータを、装着部に装着された外部記憶装置に記憶されているファイルのファイル名を表示部に表示させる表示手段、及び印刷部により印刷が開始された後に、表示手段によるファイル名の表示を禁止させる禁止手段として機能させることを特徴とする。
【００１６】
これにより、請求項４に記載の発明では、請求項１と同様に、複数の外部記憶装置のユーザが同一である場合の使い勝手を向上させることができる。
【図面の簡単な説明】
【００１７】
【図１】本実施形態に係る多機能装置１０の概要を示すブロック図である。
【図２】本発明の第１実施形態に係る多機能装置１０にてダイレクト印刷を行う際の制御を示すフローチャートである。
【図３】本発明の第１実施形態に係る多機能装置１０にてダイレクト印刷を行う際の制御を示すフローチャートである。
【図４】外部記憶装置３０に記憶されているファイルの一例を示す図表である。
【図５】本発明の第１実施形態における表示部１３の表示例を示す図である。
【図６】本発明の第２実施形態に係る多機能装置１０にてダイレクト印刷を行う際の制御を示すフローチャートである。
【図７】（ａ）は１番目の外部記憶装置３０が装着されたときの表示例を示す図であり、（ｂ）は２番目の外部記憶装置３０が装着されたときの表示例を示す図である。
【図８】本発明の第３実施形態に係る多機能装置１０にてダイレクト印刷を行う際の制御を示すフローチャートである。
【図９】本発明の第４実施形態に係る多機能装置１０にてダイレクト印刷を行う際の制御を示すフローチャートである。
【図１０】本発明の第４実施形態に係る多機能装置１０にてダイレクト印刷を行う際の制御を示すフローチャートである。
【図１１】本発明の第５実施形態における設定画面の一例を示す図である。
【発明を実施するための形態】
【００１８】
本実施形態は、印刷機能、ファクシミリ機能及びスキャナ機能等が一体化されたプリンタ（以下、多機能装置という。）に本発明に係る表示装置及びプログラムを適用したものであり、以下に本発明の実施形態を図面と共に説明する。
【００１９】
（第１実施形態）
１．図面の説明
図１は本実施形態に係る多機能装置１０の概要を示すブロック図であり、図２、図３は本実施形態に係る多機能装置１０にてダイレクト印刷を行う際の制御を示すフローチャートであり、図４は外部記憶装置３０に記憶されているファイルの一例を示す図表であり、図５は表示部１３の表示例を示す図である。
【００２０】
２．多機能装置の概要（図１参照）
多機能装置１０は、図１に示すように、記録用紙等の記録媒体に画像を形成する記録部１１、ユーザにより操作される操作パネル１２、各種の情報を表示する表示部１３、外部記憶装置３０が着脱可能に装着される第１接続端子１４及び第２接続端子１５、ＮＩＣ（Network Interface Card）１６等のネットワーク接続用のインターフェース、スキャナ部１７、ファクシミリ回路１８、記憶部１９並びに記録部１１等を制御する制御部２０を有して構成されている。
【００２１】
そして、制御部２０は、ＣＰＵ、ＲＯＭ及びＲＡＭ等からなる周知のマイクロコンピュータにて構成されたものであり、図２及び図３に示す制御を実行するためのプログラム等は、ＲＯＭに記憶されている。
【００２２】
また、第１、２接続端子１４、１５は特許請求の範囲に記載された装着部に相当するもので、本実施形態では、ＵＳＢ（Universal Serial Bus)規格の接続端子（インターフェ
ース）を装着部として採用しているが、本実施形態は、これに限定されるものではなく、他の規格の接続端子でもよい。
【００２３】
一方、外部記憶装置３０も、第１、２接続端子１４、１５に接続可能なインターフェースを有する記憶手段であれば何でもよく、具体的には、フラッシュメモリ等の不揮発性半導体記憶装置にて構成されたＵＳＢメモリやＳＤメモリ（登録商標）、ＨＤＤ等の磁気記憶装置、又は多機能装置１０と直接接続して印刷するための通信規格であるＰｉｃｔＢｒｉｄｇｅに対応したデジタルカメラ等が外部記憶装置３０として考えられる。
【００２４】
また、多機能装置１０は、図４に示すような第１、２接続端子１４、１５に接続された外部記憶装置３０に記憶されている印刷ファイル等を、外部のコンピュータ（図示せず。）を介さずに直接的に印刷（以下、この印刷をダイレクト印刷という。）する機能を有している。
【００２５】
なお、印刷ファイルとは、ＰＤＬ（Page Description Language）形式等の多機能装置
１０にて実行可能な特定形式のデータをいい、本実施形態に係る多機能装置１０は、印刷ファイルに加えて、ＢＭＰ（Bit Map）形式やＪＰＥＧ（Joint Photographic Experts Group）形式等の画像ファイルもダイレクト印刷することができる。そこで、以下の説明に
おいては、ＢＭＰ形式やＪＰＥＧ形式等の画像ファイルも含めて、ダイレクト印刷が可能なファイルを印刷ファイルと呼ぶ。
【００２６】
３．本実施形態に係る多機能装置の特徴的作動（図２〜図５参照）
図２は、ダイレクト印刷が実行されていない状態で、ユーザによりダイレクト印刷が選択されたときに実行される制御を示すフローチャートであり、図３は、既にダイレクト印刷が実行されている状態で、ユーザにより新たなダイレクト印刷指令がされたときに実行
される制御を示すフローチャートである。
【００２７】
因みに、ダイレクト印刷（図２又は図３に示す制御）は、操作パネル１２に設けられたファンクションキー（図示せず。）がユーザにより操作されたとき、又は表示部１３に表示されたファンクションキー（図示せず。）がユーザにより選択されたときに多機能装置１０で実行される。
【００２８】
なお、「既にダイレクト印刷が実行されている状態」とは、ユーザによりダイレクト印刷が選択され、その選択されたダイレクト印刷が完了していない状態をいう。
したがって、実際に記録部１１が作動している状態は勿論のこと、ダイレクト印刷指令がされた（ダイレクト印刷のファンクションキーが選択された）後、実際に記録部１１が作動する前の状態も「既にダイレクト印刷が実行されている状態」に含まれる。
【００２９】
３．１．ダイレクト印刷が実行されていない場合（図２参照）
ダイレクト印刷が実行されていない状態で、操作パネル１２又は表示部１３を介してユーザによりダイレクト印刷が選択されると、図２に示す制御が起動され、制御部２０のＣＰＵによって本制御が実行される。
【００３０】
先ず、第１接続端子１４及び第２接続端子１５のいずれかに外部記憶装置３０が装着されたか否かが判定される（Ｓ１）。
そして、例えば第１接続端子１４に外部記憶装置３０が装着されたと判定された場合には（Ｓ１：ＹＥＳ）、第１接続端子１４に装着された外部記憶装置３０（以下、第１外部記憶装置３１と記す。）内に記憶されているファイルの情報の抽出が開始されるとともに、その抽出内容を示すリストの作成が開始される（Ｓ５）。
【００３１】
なお、「ファイルの情報」とは、少なくともファイルのファイル名を含む、ファイルに付帯された情報を意味し、ファイル名以外の情報としては、例えばファイルの所有者（作成者）やファイルの作成又は変更の日時等がある。
【００３２】
次に、計時用のタイマー（図示せず。）が初期化されて計時が開始され（Ｓ１０）、計時開始後、所定時間（例えば、１０秒）が経過したか否かが判定される（Ｓ１５）。そして、所定時間が経過していないと判定された場合には（Ｓ１５：ＮＯ）、他の外部記憶装置３０が装着されたか否か、つまり第２接続端子１５に外部記憶装置３０が装着されたか否かが判定される（Ｓ２０）。
【００３３】
このとき、第２接続端子１５に外部記憶装置３０が装着されていないと判定された場合には（Ｓ２０：ＮＯ）、再び、所定時間が経過したか否かが判定される（Ｓ１５）。
一方、第２接続端子１５に外部記憶装置３０が装着されたと判定された場合には（Ｓ２０：ＹＥＳ）、第２接続端子１５に装着された外部記憶装置３０（以下、第２外部記憶装置３２と記す。）内に記憶されているファイルの情報の抽出が開始されるとともに、その抽出内容を示すリストの作成が開始される（Ｓ２５）。
【００３４】
次に、再び、計時用のタイマーが初期化されて計時が開始され（Ｓ１０）、計時開始後、所定時間が経過したか否かが判定される（Ｓ１５）。
そして、第１、２接続端子１４、１５に外部記憶装置３０が新たに装着されない状態が継続し（Ｓ２０：ＮＯ）、その継続時間が所定時間を超えたときに（Ｓ１５：ＹＥＳ）、Ｓ５及びＳ２５にて作成されたリスト、つまり所定時間が経過したと判定されるまでに第１、２接続端子１４、１５に装着された全ての外部記憶装置３０に記憶されているファイルのリスト（図５参照）が表示部１３に表示される（Ｓ３０）。
【００３５】
次に、表示部１３に表示されたファイル名の中から、ダイレクト印刷すべきファイルとしてユーザにより指示されたファイルが多機能装置１０により選択され（Ｓ３５）、その選択されたファイルのダイレクト印刷が開始される（Ｓ４０）。
【００３６】
ダイレクト印刷が開始されると、ファイルのリスト表示が禁止され、Ｓ３０で表示部１３に表示したファイルのリストが表示部１３から消去される（Ｓ４３）。
そして、ダイレクト印刷が終了したか否かが判定され（Ｓ４５）、ダイレクト印刷が終了したと判定された場合には（Ｓ４５：ＹＥＳ）、本制御が終了する。
【００３７】
一方、ダイレクト印刷が終了していないと判定された場合には（Ｓ４５：ＮＯ）、ダイレクト印刷が終了するまでＳ４５の処理が繰り返される。
３．２．既にダイレクト印刷が実行されている場合（図３参照）
既にダイレクト印刷が実行されている状態で、ユーザにより新たなダイレクト印刷指令がされると、図３に示す制御が起動され、制御部２０のＣＰＵによって本制御が実行される。
【００３８】
先ず、第１接続端子１４及び第２接続端子１５のいずれかに外部記憶装置３０が装着されたか否かが判定される（Ｓ５０）。
そして、例えば第１接続端子１４に外部記憶装置３０が装着されたと判定された場合には（Ｓ５０：ＹＥＳ）、第１接続端子１４に装着された外部記憶装置３０、つまり第１外部記憶装置３１内に記憶されているファイルの情報の抽出が開始されるとともに、その抽出内容を示すリストの作成が開始される（Ｓ５５）。
【００３９】
次に、計時用のタイマーが初期化されて計時が開始され（Ｓ６０）、計時開始後、前記の所定時間が経過したか否かが判定される（Ｓ６５）。そして、所定時間が経過していないと判定された場合には（Ｓ６５：ＮＯ）、他の外部記憶装置３０が装着されたか否か、つまり第２接続端子１５に外部記憶装置３０が装着されたか否かが判定される（Ｓ７０）。
【００４０】
このとき、第２接続端子１５に外部記憶装置３０が装着されていないと判定された場合には（Ｓ７０：ＮＯ）、再び、所定時間が経過したか否かが判定される（Ｓ６５）。
一方、第２接続端子１５に外部記憶装置３０が装着されたと判定された場合には（Ｓ７０：ＹＥＳ）、第２接続端子１５に装着された外部記憶装置３０、つまり第２外部記憶装置３２内に記憶されているファイルの情報の抽出が開始されるとともに、その抽出内容を示すリストの作成が開始される（Ｓ７５）。
【００４１】
次に、再び、計時用のタイマーが初期化されて計時が開始され（Ｓ６０）、計時開始後、所定時間が経過したか否かが判定され（Ｓ６５）、第１、２接続端子１４、１５に外部記憶装置３０が新たに装着されない状態が継続し（Ｓ７０：ＮＯ）、その継続時間が前記所定時間を超えたときに（Ｓ６５：ＹＥＳ）、既に実行されているダイレクト印刷が終了したか否か判定される（Ｓ８０）。
【００４２】
そして、既に実行されているダイレクト印刷が終了したと判定された場合には（Ｓ８０：ＹＥＳ）、Ｓ５５及びＳ７５にて作成されたリスト、つまり所定時間が経過するまでに第１、２接続端子１４、１５に装着された全ての外部記憶装置３０に記憶されているファイルのリスト（図５参照）の表示が許可され、表示を許可されたファイルのリストが表示部１３に表示される（Ｓ８５）。
【００４３】
一方、ダイレクト印刷が終了していないと判定された場合には（Ｓ８０：ＮＯ）、Ｓ５５及びＳ７５にて作成されたリストの表示が許可されない状態で、ダイレクト印刷が終了
するまで待機（禁止）状態となる。
【００４４】
そして、ダイレクト印刷終了後、外部記憶装置３０に記憶されているファイルのリストが表示部１３に表示されると（Ｓ８５）、表示部１３に表示されたファイル名の中から、ダイレクト印刷すべきファイルとしてユーザにより指示されたファイルが多機能装置１０により選択され（Ｓ９０）、その選択されたファイルのダイレクト印刷が開始される（Ｓ９５）。
【００４５】
ダイレクト印刷が開始されると、ファイルのリスト表示が禁止され、Ｓ８５で表示部１３に表示したファイルのリストが表示部１３から消去される（Ｓ４３）。
そして、ダイレクト印刷が終了したか否かが判定され（Ｓ１００）、ダイレクト印刷が終了したと判定された場合には（Ｓ１００：ＹＥＳ）、本制御が終了する。
【００４６】
一方、ダイレクト印刷が終了していないと判定された場合には（Ｓ１００：ＮＯ）、ダイレクト印刷が終了するまでＳ１００の処理が繰り返される。
４．本実施形態に係る多機能装置の特徴
本実施形態では、第１、２接続端子１４、１５のいずれか一方に外部記憶装置３０が装着された時から他の外部記憶装置３０が他方の接続端子に装着された時までの時間が所定時間以下の場合に、同一ユーザにより外部記憶装置３０が装着されたものとみなして、所定時間が経過するまでに第１、２接続端子１４、１５に装着された外部記憶装置３０に記憶されているファイルのファイル名を表示させるので、複数の外部記憶装置３０のユーザが同一である場合の使い勝手を向上させることができる。
【００４７】
また、本実施形態では、外部記憶装置３０が第１、２接続端子１４、１５のいずれかに新たに装着された時から更に他の外部記憶装置３０が第１、２接続端子１４、１５のいずれかに装着された時までの時間が所定時間以下の場合に、所定時間が経過するまでに第１、２接続端子１４、１５に装着された外部記憶装置３０に記憶されているファイルのファイル名を表示部１３に表示させるので、前回、外部記憶装置３０が装着された時から、今回、外部記憶装置３０が装着されたときまでの経過時間が所定時間以下の場合に、それまでに装着された外部記憶装置３０に記憶されているファイルのファイル名が表示される。
【００４８】
このように、本実施形態では、最初に外部記憶装置３０を装着した時からの経過時間が所定時間以下であるか否かを判定するのではなく、最後に外部記憶装置を装着した時からの経過時間が所定時間以下であるか否かを判定するので、同一ユーザが３つ以上の外部記憶装置３０を装着する必要があるときに更に使い勝手を向上させることができる。
【００４９】
すなわち、本実施形態では、接続端子が２つであったので、最初に外部記憶装置３０を装着した時から所定時間経過した時までの経過時間（以下、第１経過時間という。）と、最初に外部記憶装置３０を装着した時から最後に外部記憶装置３０を装着した時までの経過時間（以下、経過時間Ａという。）と最後に外部記憶装置３０を装着した時から所定時間経過した時までの経過時間とを合わせた総経過時間（以下、第２経過時間という。）とは同じとなる。これは、接続端子が２つである場合、最初に装着された外部記憶装置３０と最後に装着された外部記憶装置３０とは同一のものであるため、経過時間Ａは０となるからである。
【００５０】
しかし、接続端子が３つ以上の場合であって、かつ、最初に外部記憶装置３０が装着されてから所定時間経過するまでに２つ目、つまり最後の外部記憶装置３０が装着された場合、経過時間Ａは０より大きくなるので、第２経過時間は第１経過時間より長くなる。
【００５１】
したがって、同一ユーザの外部記憶装置３０であると判定するための時間を実質的に長
くすることができるので、同一ユーザが３つ以上の外部記憶装置３０を装着する必要があるときに更に使い勝手を向上させることができる。
【００５２】
また、本実施形態では、図３のＳ８０に示すように、印刷が開始された後、つまり既にダイレクト印刷が実行されているときに装着された外部記憶装置３０のユーザは、現在、ダイレクト印刷が実行されているファイルを記憶した外部記憶装置３０のユーザとは異なるユーザのものであるとみなして、ファイル名の表示を禁止する。
【００５３】
また、図２のＳ４３や図３のＳ９７に示すように、ダイレクト印刷が開始されたときには、ダイレクト印刷が開始されるときに表示されていたファイル名の表示は終了しているので、既にダイレクト印刷が実行されているファイルの内容が表示部１３に表示されることはない。したがって、複数の外部記憶装置３０のユーザが同一である場合の使い勝手を向上させることができる。
【００５４】
そして、図３のＳ８５に示すように、ダイレクト印刷が終了したときに、ダイレクト印刷開始後に新たに装着された外部記憶装置３０に記憶されているファイルのファイル名の表示を許可するので、ダイレクト印刷が開始された後に装着された外部記憶装置３０に記憶されているファイルのファイル名を表示させることができる。
【００５５】
５．発明特定事項と実施形態との対応関係
本実施形態では、第１、２接続端子１４、１５が特許請求の範囲に記載された装着部に相当し、Ｓ３０及びＳ８５が特許請求の範囲に記載された表示手段に相当し、Ｓ４０及びＳ９５が特許請求の範囲に記載された印刷手段に相当し、Ｓ４３及びＳ９７が特許請求の範囲に記載された禁止手段に相当し、Ｓ８５が許可手段に相当する。
【００５６】
（第２実施形態）
上述の実施形態では、所定時間の経過後に、所定時間が経過するまでに装着された全ての外部記憶装置３０に記憶されているファイルのファイル名を表示させたが、本実施形態は、外部記憶装置３０が装着される毎に、その外部記憶装置３０に記憶されているファイルのファイル名を表示させるものである。
【００５７】
図６は、第１実施形態の図２に相当する制御を示すフローチャートであり、図７は表示部１３におけるファイル名の表示例を示す図であり、図７（ａ）は１番目の外部記憶装置３０が装着されたときの表示例であり、図７（ｂ）は２番目の外部記憶装置３０が装着されたときの表示例である。
【００５８】
以下、ダイレクト印刷が実行されていない場合（図６参照）を例に、本実施形態の特徴的制御を説明する。
図６に示す制御が起動されると、先ず、第１接続端子１４及び第２接続端子１５のいずれかに外部記憶装置３０が装着されたか否かが判定される（Ｓ１１０）。
【００５９】
そして、例えば第１接続端子１４に外部記憶装置３０が装着されたと判定された場合には（Ｓ１１０：ＹＥＳ）、第１外部記憶装置３１内に記憶されているファイルの情報の抽出が開始されるとともに、その抽出内容を示すリストが作成された後（Ｓ１１５）、そのリスト（図７（ａ）参照）が表示部１３に表示される（Ｓ１２０）。
【００６０】
次に、計時用のタイマーが初期化されて計時が開始され（Ｓ１２５）、計時開始後、前記の所定時間が経過したか否かが判定される（Ｓ１３０）。そして、所定時間が経過していないと判定された場合には（Ｓ１３０：ＮＯ）、他の外部記憶装置３０が装着されたか否かが判定される（Ｓ１３５）。
【００６１】
このとき、第２接続端子１５に外部記憶装置３０が装着されていないと判定された場合には（Ｓ１３５：ＮＯ）、再び、所定時間が経過したか否かが判定される（Ｓ１３０）。
一方、第２接続端子１５に外部記憶装置３０が装着されたと判定された場合には（Ｓ１３５：ＹＥＳ）、第２外部記憶装置３２内に記憶されているファイルの情報の抽出が開始されるとともに、その抽出内容を示すリストが作成された後（Ｓ１４０）、そのリスト（図７（ｂ）参照）が表示部１３に追加表示される（Ｓ１４５）。
【００６２】
次に、再び、計時用のタイマーが初期化されて計時が開始され（Ｓ１２５）、計時開始後、所定時間が経過したか否かが判定される（Ｓ１３０）。そして、第１、２接続端子１４、１５に外部記憶装置３０が新たに装着されない状態が継続し（Ｓ１３５：ＮＯ）、その継続時間が前記所定時間を超えたときに（Ｓ１３０：ＹＥＳ）、表示部１３に表示されたファイル名の中から、ダイレクト印刷すべきファイルとしてユーザにより指示されたファイルが多機能装置１０により選択される（Ｓ１５０）。
【００６３】
その後、Ｓ１５０にて選択されたファイルのダイレクト印刷が開始された後（Ｓ１５５）、ファイルのリスト表示が禁止され、Ｓ１２０やＳ１４５で表示部１３に表示したファイルのリストが表示部１３から消去される（Ｓ１５７）。そして、ダイレクト印刷が終了したか否かが判定され（Ｓ１６０）、ダイレクト印刷が終了したと判定された場合には（Ｓ１６０：ＹＥＳ）、本制御が終了する。
【００６４】
一方、ダイレクト印刷が終了していないと判定された場合には（Ｓ１６０：ＮＯ）、ダイレクト印刷が終了するまでＳ１６０の処理が繰り返される。
（第３実施形態）
上述の実施形態では、第１、２接続端子１４、１５に外部記憶装置３０が新たに装着されない状態が継続し、その継続時間が所定時間を超えたときに、所定時間が経過したものと判定したが、本実施形態は、最初に計時用のタイマーが初期化された時からの累積経過時間が所定時間を超えたときに、所定時間が経過したものと判定するものである。
【００６５】
図８は第１実施形態の図２に相当する制御を示すフローチャートであり、図８では、図２と同一制御ステップには同一のステップ番号を付してある。
そして、本実施形態では、図８に示すように、計時用のタイマーが初期化されて計時が開始された後（Ｓ１０）、第２接続端子１５に外部記憶装置３０が装着された（Ｓ２０：ＹＥＳ）としてもＳ１０が実行されることなく、所定時間が経過したか否かが判定される（Ｓ１５）。
【００６６】
このため、本実施形態では、最初に計時用のタイマーが初期化された時からの累積経過時間が所定時間を超えたときに（Ｓ１５：ＹＥＳ）、所定時間が経過したものと判定されて作成されたリストの内容が表示部１３に表示される（Ｓ３０）。
【００６７】
なお、図８は本実施形態を第１実施形態に適用した例であったが、本実施形態の適用はこれに限定されるものではなく、第２実施形態にも適用できる。
（第４実施形態）
上述の実施形態では、第１、２接続端子１４、１５のいずれかに外部記憶装置３０が装着された時からの経過時間に基づいて、同一ユーザにより他の外部記憶装置３０が装着されたか否か、つまり同一ユーザによる外部記憶装置３０の装着作業が完了したか否かを判定したが、本実施形態は、ユーザから外部記憶装置３０の装着作業が完了した指示が受け付けられたか否かを判定することにより、同一ユーザによる外部記憶装置３０の装着作業が完了したか否かを判定するものである。
【００６８】
図９は、ダイレクト印刷が実行されていない状態で、ユーザによりダイレクト印刷が選択されたときに実行される制御を示すフローチャートであり、図１０は、既にダイレクト印刷が実行されている状態で、ユーザにより新たなダイレクト印刷指令がされたときに実行される制御を示すフローチャートである。
【００６９】
１．１．ダイレクト印刷が実行されていない場合（図９参照）
ダイレクト印刷が実行されていない状態で、操作パネル１２又は表示部１３を介してユーザによりダイレクト印刷が選択されると、図９に示す制御が起動され、制御部２０のＣＰＵによって本制御が実行される。
【００７０】
先ず、第１接続端子１４及び第２接続端子１５のいずれかに外部記憶装置３０が装着されたか否かが判定される（Ｓ１７０）。
そして、例えば第１接続端子１４に外部記憶装置３０が装着されたと判定された場合には（Ｓ１７０：ＹＥＳ）、第１外部記憶装置３１内に記憶されているファイルの情報の抽出が開始されるとともに、その抽出内容を示すリストの作成が開始される（Ｓ１７５）。
【００７１】
次に、操作パネル１２に設けられたファンクションキー（図示せず。）又は表示部１３に表示されたファンクションキー（図示せず。）がユーザにより操作又は選択されたか否かに基づいて、外部記憶装置３０の装着が完了したか否かが判定される（Ｓ１８０）。
【００７２】
そして、外部記憶装置３０の装着が完了していないと判定された場合には（Ｓ１８０：ＮＯ）、他の外部記憶装置３０が装着されたか否か、つまり第２接続端子１５に外部記憶装置３０が装着されたか否かが判定される（Ｓ１８５）。
【００７３】
このとき、第２接続端子１５に外部記憶装置３０が装着されていないと判定された場合には（Ｓ１８５：ＮＯ）、再び、外部記憶装置３０の装着が完了したか否かが判定される（Ｓ１８０）。
【００７４】
一方、第２接続端子１５に外部記憶装置３０が装着されたと判定された場合には（Ｓ１８５：ＹＥＳ）、第２外部記憶装置３２内に記憶されているファイルの情報の抽出が開始されるとともに、その抽出内容を示すリストの作成が開始される（Ｓ１９０）。
【００７５】
次に、再び、外部記憶装置３０の装着が完了したか否かが判定され（Ｓ１８０）、外部記憶装置３０の装着が完了したと判定された場合には（Ｓ１８０：ＹＥＳ）、この判定時以降に装着された外部記憶装置３０からの抽出内容に基づいて作成されたリストが表示部１３に表示されることが禁止される（Ｓ１９５）。
【００７６】
その後、外部記憶装置３０の装着が完了したと判定されるまでに第１、２接続端子１４、１５に装着された全ての外部記憶装置３０に記憶されているファイルのリスト（図５参照）が表示部１３に表示される（Ｓ２００）。
【００７７】
そして、表示部１３に表示されたファイル名の中から、ダイレクト印刷すべきファイルとしてユーザにより指示されたファイルが多機能装置１０により選択され（Ｓ２０５）、その選択されたファイルのダイレクト印刷が開始される（Ｓ２１０）。
【００７８】
ダイレクト印刷が開始されると、ファイルのリスト表示が禁止され、Ｓ２００で表示部１３に表示したファイルのリストが表示部１３から消去される（Ｓ２１３）。
次に、ダイレクト印刷が終了したか否かが判定され（Ｓ２１５）、ダイレクト印刷が終了したと判定された場合には（Ｓ２１５：ＹＥＳ）、Ｓ１９５にて設定された禁止状態が解除された後（Ｓ２２０）、本制御が終了する。
【００７９】
一方、ダイレクト印刷が終了していないと判定された場合には（Ｓ２１５：ＮＯ）、ダイレクト印刷が終了するまでＳ２１５の処理が繰り返される。
１．２．既にダイレクト印刷が実行されている場合（図１０参照）
既にダイレクト印刷が実行されている状態で、ユーザにより新たなダイレクト印刷指令がされると、図１０に示す制御が起動され、制御部２０のＣＰＵによって本制御が実行される。
【００８０】
先ず、第１接続端子１４及び第２接続端子１５のいずれかに外部記憶装置３０が装着されたか否かが判定される（Ｓ２３０）。
そして、例えば第１接続端子１４に外部記憶装置３０が装着されたと判定された場合には（Ｓ２３０：ＹＥＳ）、第１外部記憶装置３１内に記憶されているファイルの情報の抽出が開始されるとともに、その抽出内容を示すリストの作成が開始される（Ｓ２３５）。
【００８１】
次に、操作パネル１２に設けられたファンクションキー（図示せず。）又は表示部１３に表示されたファンクションキー（図示せず。）がユーザにより操作又は選択されたか否かに基づいて、外部記憶装置３０の装着が完了したか否かが判定される（Ｓ２４０）。
【００８２】
そして、外部記憶装置３０の装着が完了していないと判定された場合には（Ｓ２４０：ＮＯ）、他の外部記憶装置３０が装着されたか否か、つまり第２接続端子１５に外部記憶装置３０が装着されたか否かが判定される（Ｓ２４５）。
【００８３】
このとき、第２接続端子１５に外部記憶装置３０が装着されていないと判定された場合には（Ｓ２４５：ＮＯ）、再び、外部記憶装置３０の装着が完了したか否かが判定される（Ｓ２４０）。
【００８４】
一方、第２接続端子１５に外部記憶装置３０が装着されたと判定された場合には（Ｓ２４５：ＹＥＳ）、第２外部記憶装置３２内に記憶されているファイルの情報の抽出が開始されるとともに、その抽出内容を示すリストの作成が開始される（Ｓ２５０）。
【００８５】
次に、再び、外部記憶装置３０の装着が完了したか否かが判定され（Ｓ２４０）、外部記憶装置３０の装着が完了したと判定された場合には（Ｓ２４０：ＹＥＳ）、この判定時以降に装着された外部記憶装置３０からの抽出内容に基づいて作成されたリストが表示部１３に表示されることが禁止される（Ｓ２２５）。
【００８６】
そして、既に実行されているダイレクト印刷が終了しているか否か、つまりリストの表示を許可してもよいか否かが判定され（Ｓ２６０）、既に実行されているダイレクト印刷が終了していると判定された場合には（Ｓ２６０：ＹＥＳ）、リストの表示が許可され、外部記憶装置３０の装着が完了したと判定されるまでに第１、２接続端子１４、１５に装着された全ての外部記憶装置３０に記憶されているファイルのリスト（図５参照）が表示部１３に表示される（Ｓ２６５）。
【００８７】
なお、既に実行されているダイレクト印刷が終了していない場合には（Ｓ２６０：ＮＯ）、Ｓ２３５及びＳ２５０にて作成されたリストの表示が許可されない状態で、既に実行されているダイレクト印刷が終了するまで、待機状態となる。
【００８８】
次に、既に実行されていたダイレクト印刷の終了後、表示部１３に表示されたファイル名の中から、ダイレクト印刷すべきファイルとしてユーザにより指示されたファイルが多機能装置１０により選択され（Ｓ２７０）、その選択されたファイルのダイレクト印刷が開始される（Ｓ２７５）。
【００８９】
ダイレクト印刷が開始されると、ファイルのリスト表示が禁止され、Ｓ２６５で表示部１３に表示したファイルのリストが表示部１３から消去される（Ｓ２７７）。
そして、ダイレクト印刷が終了したか否かが判定され（Ｓ２８０）、ダイレクト印刷が終了したと判定された場合には（Ｓ２８０：ＹＥＳ）、Ｓ２５５にて設定された禁止状態が解除された後（Ｓ２８５）、本制御が終了する。
【００９０】
一方、ダイレクト印刷が終了していないと判定された場合には（Ｓ２８０：ＮＯ）、ダイレクト印刷が終了するまでＳ２８０の処理が繰り返される。
２．本実施形態に係る多機能装置の特徴
本実施形態では、ユーザから指示により装着作業が完了したと判定されたときに、その判定がされるまでに第１、２接続端子１４、１５に装着された外部記憶装置３０に記憶されているファイルのファイル名を表示させるので、複数の外部記憶装置３０のユーザが同一である場合の使い勝手を向上させることができる。
【００９１】
また、本実施形態では、装着作業が完了した指示が受け付けられたと判定された時以降に第１、２接続端子１４、１５に装着された外部記憶装置３０に記憶されているファイルのファイル名の表示を禁止させるので、装着作業が完了した指示が受け付けられる前に装着された外部記憶装置３０に記憶されているファイルのファイル名とともに、装着作業が完了した指示が受け付けられた後に装着された外部記憶装置３０に記憶されているファイルのファイル名が表示されてしまうことを確実に防止できる。
【００９２】
また、本実施形態では、装着作業が完了した指示が受け付けられた時までに装着された外部記憶装置３０に記憶されているファイルの印刷が終了したときに、禁止状態を解除するので、装着作業が完了した指示が受け付けられた時以降に装着された外部記憶装置３０に記憶されているファイルのファイル名を表示させることができる。
【００９３】
（第５実施形態）
上述の実施形態では、同一のユーザに装着されたものと見なされた複数の外部記憶装置３０に記憶されていたファイルのファイル名を全て表示したが、本実施形態は、全てのファイル名を表示させる場合と、いずれかの外部記憶装置３０に記憶されているファイルのファイル名のみを表示させる場合とを、ユーザからの指示に従って切り替える機能を設けたものである。
【００９４】
すなわち、図１１は、複数の外部記憶装置３０に記憶されていたファイルのファイル名を全て表示させる場合と、いずれかの外部記憶装置３０（本実施形態では、第１接続端子１４に装着された外部記憶装置３０）に記憶されているファイルのファイル名のみを表示させる場合とを切り替えるための設定画面を示す図である。
【００９５】
そして、図１１に示す設定画面は、ユーザが操作パネル１２に設けられたファンクションキー（図示せず。）又は表示部１３に表示されたファンクションキー（図示せず。）を操作又は選択することにより表示部１３に表示され、この設定画面を介していずれかの表示方法がユーザにより選択されると、以後、この設定に従って外部記憶装置３０に記憶されているファイルのファイル名が表示される。
【００９６】
（その他の実施形態）
上述の実施形態では、本発明を多機能装置に適用したが、本発明の適用はこれに限定されるものではなく、表示装置やプリンタ機能のみ有する画像形成装置にも適用できる。
【００９７】
また、上述の実施形態では、接続端子（装着部）を２つ有する多機能装置を例に本発明
を説明したが、本発明の適用はこれに限定されるものではなく、３つ以上の接続端子（装着部）を有する多機能装置にも適用できる。
【００９８】
また、上述の実施形態では、接続端子（装着部）を２つ有する多機能装置を例に本発明を説明したが、本発明の適用はこれに限定されるものではなく、１つの接続端子（装着部）を有する多機能装置にも適用できる。なお、この場合、同時に複数の外部記憶装置３０を装着することは不可能であるので、複数の外部記憶装置３０の着脱を繰り返すことにより実現することができる。
【００９９】
また、上述の実施形態では、「所定時間」が固定値であったが、本発明はこれに限定されるものではなく、所定時間を変更するための手段を設けてもよい。
また、上述の実施形態では、ダイレクト印刷が開始されたタイミングで、そのダイレクト印刷に使用されているファイルのリスト表示が禁止されるようにしたが、ダイレクト印刷開始後、所定時間経過後に表示が禁止されてもよい。
【０１００】
また、上述の実施形態では、ダイレクト印刷が開始されたタイミングで、そのダイレクト印刷に使用されているファイルのリスト表示が禁止されるようにしたが、ダイレクト印刷開始後に新たに外部記憶装置が装着されたタイミングで、そのダイレクト印刷に使用されているファイルのリスト表示が禁止されるようにしてもよい。
【０１０１】
また、上述の第１〜３実施形態では、外部記憶装置３０が装着されてファイル情報が抽出された後に、計時を開始したが、本発明は外部記憶装置３０が装着された時を基準として計時するものであるので、本発明は第１〜３実施形態に示された例に限定されるものではなく、外部記憶装置３０が装着された時から計時を開始してもよい。
【０１０２】
また、本発明は、特許請求の範囲に記載された発明の趣旨に合致するものであればよく、上述の実施形態に限定されるものではない。
【符号の説明】
【０１０３】
１０…多機能装置、１１…記録部、１２…操作パネル、１３…表示部、
１４、１５…接続端子、１７…スキャナ部、１８…ファクシミリ回路、
２０…制御部、３０…外部記憶装置。
【図１】
2010018036.tif 000003
【図２】
2010018036.tif 000004
【図３】
2010018036.tif 000005
【図４】
2010018036.tif 000006
【図５】
2010018036.tif 000007
【図６】
2010018036.tif 000008
【図７】
2010018036.tif 000009
【図８】
2010018036.tif 000010
【図９】
2010018036.tif 000011
【図１０】
2010018036.tif 000012
【図１１】
2010018036.tif 000013